(57)【要約】  表示制御方法及び端末を提供する。該方法において、第１スクリーンへのユーザの第１入力を受信することと、第１入力に応答し、第２スクリーンに表示されている第１プログラムの第１プログラムインタフェースを第１スクリーンに切り替えて表示することと、第２スクリーンで第１フローティングウィンドウを表示することとを含み、ここで、第１フローティングウィンドウ内の第１表示コンテンツは、第１プログラムインタフェースの第２表示コンテンツに同期して更新される。
2021525430.tif 000002
【特許請求の範囲】
【請求項１】
第１スクリーンと第２スクリーンを含む端末機器に応用される表示制御方法において、
第１スクリーンへのユーザの第１入力を受信することと、
前記第１入力に応答し、第２スクリーンに表示されている第１プログラムの第１プログラムインタフェースを前記第１スクリーンに切り替えて表示することと、
前記第２スクリーンで第１フローティングウィンドウを表示することとを含み、
ここで、前記第１フローティングウィンドウ内の第１表示コンテンツは、前記第１プログラムインタフェースの第２表示コンテンツに同期して更新される、表示制御方法。
【請求項２】
前記の前記第１入力に応答し、第２スクリーンに表示されている第１プログラムの第１プログラムインタフェースを前記第１スクリーンに切り替えて表示した後には、
前記第１スクリーンへのユーザの第２入力を受信することと、
前記第２入力に応答し、前記第２スクリーンに表示されている第２プログラムの第２プログラムインタフェースを前記第１スクリーンに切り替えて表示することとを更に含む、請求項１に記載の表示制御方法。
【請求項３】
前記の前記第２入力に応答し、前記第２スクリーンに表示されている第２プログラムの第２プログラムインタフェースを前記第１スクリーンに切り替えて表示した後には、
前記第２スクリーンで第２フローティングウィンドウを表示することを更に含み、
ここで、前記第２フローティングウィンドウ内の第３表示コンテンツは、前記第２プログラムインタフェースの第４表示コンテンツに同期して更新される、請求項２に記載の表示制御方法。
【請求項４】
前記の前記第２スクリーンで第２フローティングウィンドウを表示した後には、
前記第１フローティングウィンドウ及び前記第２フローティングウィンドウへのユーザの第３入力を受信することと、
前記第３入力に応答し、前記第１スクリーンに表示されている前記第１プログラムの前記第１プログラムインタフェース及び前記第２プログラムの前記第２プログラムインタフェースを前記第２スクリーンに切り替えて分割画面で表示することとを更に含む、請求項３に記載の表示制御方法。
【請求項５】
前記の前記第２スクリーンで第１フローティングウィンドウを表示した後には、
前記第１フローティングウィンドウへのユーザの第４入力を受信することと、
前記第４入力に応答し、前記第１スクリーンに表示されている前記第１プログラムの前記第１プログラムインタフェースを前記第２スクリーンに切り替えて表示することとを更に含む、請求項１に記載の表示制御方法。
【請求項６】
前記の前記第２スクリーンで第１フローティングウィンドウを表示した後には、
前記第１フローティングウィンドウへのユーザの第５入力を受信することと、
前記第５入力に応答し、前記第１プログラムを閉じることとを更に含む、請求項１に記載の表示制御方法。
【請求項７】
前記第１プログラムが映像再生プログラムであり、且つ前記映像再生プログラムで再生している映像ファイルが第１映像ファイルに関連付けられた第２映像ファイルである場合、前記第１フローティングウィンドウの第１表示コンテンツは、前記第２映像ファイルのカウントダウン時間であり、前記カウントダウン時間は、前記第２映像ファイルの再生時間である、請求項１に記載の表示制御方法。
【請求項８】
第１スクリーンへのユーザの第１入力を受信する第１受信モジュールと、
前記第１入力に応答し、第２スクリーンに表示されている第１プログラムの第１プログラムインタフェースを前記第１スクリーンに切り替えて表示する第１表示モジュールと、
前記第２スクリーンで第１フローティングウィンドウを表示する第２表示モジュールとを含み、
ここで、前記第１フローティングウィンドウ内の第１表示コンテンツは、前記第１プログラムインタフェースの第２表示コンテンツに同期して更新される、端末。
【請求項９】
前記第１スクリーンへのユーザの第２入力を受信する第２受信モジュールと、
前記第２入力に応答し、前記第２スクリーンに表示されている第２プログラムの第２プログラムインタフェースを前記第１スクリーンに切り替えて表示する第１切替モジュールとを更に含む、請求項８に記載の端末。
【請求項１０】
前記第１フローティングウィンドウへのユーザの第４入力を受信する第３受信モジュールと、
前記第４入力に応答し、前記第１スクリーンに表示されている前記第１プログラムの前記第１プログラムインタフェースを前記第２スクリーンに切り替えて表示する第２切替モジュールとを更に含む、請求項８に記載の端末。
【請求項１１】
前記第１フローティングウィンドウへのユーザの第５入力を受信する第４受信モジュールと、
前記第５入力に応答し、前記第１プログラムを閉じる制御モジュールとを更に含む、請求項８に記載の端末。
【請求項１２】
前記第１プログラムが映像再生プログラムであり、且つ前記映像再生プログラムで再生している映像ファイルが第１映像ファイルに関連付けられた第２映像ファイルである場合、前記第１フローティングウィンドウの第１表示コンテンツは、前記第２映像ファイルのカウントダウン時間であり、前記カウントダウン時間は、前記第２映像ファイルの再生時間である、請求項８に記載の端末。
【請求項１３】
プロセッサと、メモリと、前記メモリに格納されて前記プロセッサで動作可能なコンピュータプログラムを含む端末であって、
前記コンピュータプログラムが前記プロセッサによって実行されると、請求項１〜７のいずれか一項に記載の表示制御方法が実現される、端末。
【請求項１４】
コンピュータプログラムが格納されているコンピュータ読み取り可能な記憶媒体であって、
前記コンピュータプログラムがプロセッサによって実行されると、請求項１〜７のいずれか一項に記載の表示制御方法が実現される、コンピュータ読み取り可能な記憶媒体。
【発明の詳細な説明】
【技術分野】
【０００１】
関連出願の相互参照
本願は、２０１８年５月２９日に中国特許庁に提出された中国特許出願２０１８１０５３２２８５．１の優先権を主張し、その全ての内容が援用によりここに取り込まれる。
本開示の実施例は、通信技術分野に係り、特に表示制御方法及び端末に係る。
【背景技術】
【０００２】
科学技術のますますの発展に伴い、スマート端末の普及が進んでいる。携帯電話などの移動端末は、日常生活に欠かせない電気製品となっている。従来技術の端末では、現在再生中の映像で広告を再生したり、現在のゲームでリソースをダウンロードしている間、ユーザは、映像の視聴やゲームの実行を継続するために、広告の再生やゲームリソースのダウンロードが完了するのを待つ必要があり、ユーザの手間を多く費やすことになる。また、ユーザが待ち時間内に他のアプリケーションプログラムを利用するように操作を行うと、動画再生の中断やゲームのリロードが発生するおそれがある。
【発明の概要】
【発明が解決しようとする課題】
【０００３】
本開示の実施例は、従来技術の端末での一部プログラムの使用中にユーザの時間を余分に浪費するという問題を解決するために、表示制御方法及び端末を提供する。
【課題を解決するための手段】
【０００４】
第１態様として、本開示の実施例は、表示制御方法を提供する。
第１スクリーンと第２スクリーンを含む端末機器に応用される表示制御方法において、
第１スクリーンへのユーザの第１入力を受信することと、
前記第１入力に応答し、第２スクリーンに表示されている第１プログラムの第１プログラムインタフェースを前記第１スクリーンに切り替えて表示することと、
前記第２スクリーンで第１フローティングウィンドウを表示することとを含み、
ここで、前記第１フローティングウィンドウ内の第１表示コンテンツは、前記第１プログラムインタフェースの第２表示コンテンツに同期して更新される。
【０００５】
第２態様として、本開示の実施例は、端末を更に提供する。
第１スクリーンへのユーザの第１入力を受信する第１受信モジュールと、
前記第１入力に応答し、第２スクリーンに表示されている第１プログラムの第１プログラムインタフェースを前記第１スクリーンに切り替えて表示する第１表示モジュールと、
前記第２スクリーンで第１フローティングウィンドウを表示する第２表示モジュールとを含み、
ここで、前記第１フローティングウィンドウ内の第１表示コンテンツは、前記第１プログラムインタフェースの第２表示コンテンツに同期して更新される。
【０００６】
第３態様として、本開示の実施例は、端末を更に提供する。
前記端末は、プロセッサと、メモリと、前記メモリに格納されて前記プロセッサで動作可能なコンピュータプログラムを含み、
前記コンピュータプログラムが前記プロセッサによって実行されると、上記表示制御方法が実現される。
【０００７】
第４態様として、本開示の実施例は、記憶媒体を更に提供する。
コンピュータプログラムが格納されているコンピュータ読み取り可能な記憶媒体であって、
前記コンピュータプログラムがプロセッサによって実行されると、上記表示制御方法が実現される。
【発明の効果】
【０００８】
本開示の実施例において、第１スクリーンへのユーザの第１入力を受信し、前記第１入力に応答し、第２スクリーンに表示されている第１プログラムの第１プログラムインタフェースを前記第１スクリーンに切り替えて表示し、前記第２スクリーンで第１フローティングウィンドウを表示し、ここで、前記第１フローティングウィンドウ内の第１表示コンテンツは、前記第１プログラムインタフェースの第２表示コンテンツに同期して更新される。このように、第１スクリーンへの第１入力により、第２スクリーンに表示されている第１プログラムの第１プログラムインタフェースを第１スクリーンに切り替えて表示することができ、ユーザが第２スクリーンで他のアプリケーションプログラムを操作することができ、第１プログラムの使用時に存在するユーザの余分な待ち時間を十分に利用する。第１プログラムインタフェースの第２表示コンテンツに同期して更新される第１表示コンテンツのフローティングウィンドウが第２スクリーンで表示されているため、他のプログラムを操作しているときにも、第１プログラムの第１プログラムインタフェースの表示状態を見ることができる。
【図面の簡単な説明】
【０００９】
【図１】本開示の実施例に係る表示制御方法のフローチャートその１である。
【図２】本開示の１つの例に係る表示制御方法実現プロセスの概略図その１である。
【図３】本開示の１つの例に係る表示制御方法実現プロセスの概略図その２である。
【図４】本開示の実施例に係る表示制御方法のフローチャートその２である。
【図５】本開示の１つの例に係る表示制御方法実現プロセスの概略図その３である。
【図６】本開示の実施例に係る表示制御方法のフローチャートその３である。
【図７】本開示の１つの例に係る表示制御方法実現プロセスの概略図その４である。
【図８】本開示の１つの例に係る表示制御方法実現プロセスの概略図その５である。
【図９】本開示の実施例に係る端末の構造図である。
【図１０】本開示の実施例に係る端末のハードウェア構造図である。
【発明を実施するための形態】
【００１０】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００１１】
図１に示すように、本開示の実施例に係る表示制御方法のフローチャートである。以下、該図面を参照し、該方法の実施プロセスを具体的に説明する。
【００１２】
なお、本開示の実施例に係る表示制御方法は、第１スクリーンと第２スクリーンを含む端末機器に応用される。該端末機器は、２画面端末であってもよく、折り畳み画面端末であってもよいが、ここでは具体的に限定しない。
【００１３】
ここで、該表示制御方法は、以下のステップを含む。
ステップ１０１において、第１スクリーンへのユーザの第１入力を受信する。
【００１４】
本ステップにおいて、第１入力は、予め設定された入力であり、クリック入力、プッシュ入力、長押し入力、ピンチ入力、ドラッグ入力、スライド入力及びスワイプ入力のうちの少なくとも１つを含むが、それらに限られない。即ち、該第１入力は、上記入力のうちの１つであってもよく、又は２つ以上の入力の組み合わせ入力であってもよい。
【００１５】
ここで、任意選択で、第１入力は、ダブルクリック入力である。ダブルクリック入力は、プログラムのプログラムインタフェースを他のスクリーンに切り替えて表示する切替入力とすることで、ユーザにとって操作が簡単で実行しやすい。
【００１６】
ステップ１０２において、前記第１入力に応答し、第２スクリーンに表示されている第１プログラムの第１プログラムインタフェースを前記第１スクリーンに切り替えて表示する。
【００１７】
本ステップにおいて、端末機器は、上記ステップ１０１で受信した第１入力に応答し、第２スクリーンに表示されている第１プログラムの第１プログラムインタフェースを前記第１スクリーンに切り替えて表示することによって、第１プログラムの第１プログラムインタフェースの切り替えを実現し、且つ第１プログラムの動作を中断することなく、第１プログラムの切替操作を簡略化することができる。
【００１８】
ここで、第１プログラムの第１プログラムインタフェースは、第１プログラムのフォアグラウンド表示インタフェースである。
【００１９】
ここで、第２スクリーンと第１スクリーンとは、端末機器上で異なる２つのスクリーンである。一例では、端末機器がスクリーンを２つしか含まない場合を例に挙げると、該第２スクリーンは、第１スクリーン以外の別のスクリーンである。なお、該端末機器は、第１スクリーン及び第２スクリーン以外の他のスクリーンを更に含んでもよい。別の例では、端末機器が３つのスクリーンを含む場合を例に挙げると、該第２スクリーンは、第１スクリーン以外の１つのスクリーン又は他の２つのスクリーンであり、具体的には、ユーザ設定又は端末機器のシステムデフォルト設定に応じる。
【００２０】
ここで、移動端末が、端末機器の前面と背面にそれぞれ設けられた２つの対向に設けられたスクリーンのみを含む場合を例に挙げると、図２に示すように、背面スクリーンへの第１入力を受信する前に、アプリケーションプログラム１のプログラムインタフェースが端末機器の前面スクリーン（図中左側部分図示）に表示され、本方法のステップ１０１及びステップ１０２を実行した後に、アプリケーションプログラム１のプログラムインタフェースが端末機器の背面スクリーン（図中右側部分図示）に表示される。これにより、アプリケーションプログラム１のプログラムインタフェースの切り替えが実現され、アプリケーションプログラム１の動作を中断することなく、アプリケーションプログラムの切り替え操作を簡略化することができる。
【００２１】
また、本開示の実施例において、端末機器は、第１入力に応答した後に、第２スクリーンを制御して所定コンテンツインタフェース、例えば図３の左側部分に図示されたようなアプリケーションガイダンスインタフェースを表示することもできる。ここで、設計上の必要性又はユーザの使用上の必要性に応じて設定できるが、本開示の実施例では、特に限定されない。アプリケーションガイダンスインタフェースを例にとると、端末機器は、アプリケーションガイダンスインタフェース上の目標アプリケーションアイコンへのユーザ入力を受信し、該入力に応答して、目標アプリケーションアイコンに対応するアプリケーションプログラムのプログラムインタフェースを第１スクリーンに表示することができる。即ち、複数のアプリケーションプログラムは、端末機器上で同時に動作することができ、且つ互いにプログラムインタフェース間で影響を受けない。
【００２２】
ステップ１０３において、前記第２スクリーンで第１フローティングウィンドウを表示する。
【００２３】
本ステップにおいて、前記第１フローティングウィンドウ内の第１表示コンテンツは、前記第１プログラムインタフェースの第２表示コンテンツに同期して更新される。
【００２４】
なお、第１フローティングウィンドウは、第１プログラムインタフェースの第２表示コンテンツに同期して更新される第１表示コンテンツをサムネイル表示することができる。図３に示すように、第１プログラムの第１プログラムスクリーン１の第２表示コンテンツは、長い髪の女の子である。その場合、第１フローティングウィンドウ２、即ち、図３中左側部分に図示された提示ウィンドウ内の第１表示コンテンツは、該長い髪の女の子である。
【００２５】
ここで、前記第２スクリーンには、第１プログラムの第１プログラムインタフェース１の表示状態をユーザが随時確認し易いように、第１フロートウィンドウ２が表示される。例えば、第１プログラムが再生系アプリケーションプログラムである場合、ユーザは、第２スクリーン上で、第１プログラムの第１プログラムインタフェースで再生されるコンテンツの進行状況を随時、容易に閲覧することができる。
【００２６】
また、第１フローティングウィンドウ２は、第２スクリーンの表示コンテンツを遮ることなく、ユーザ操作により第２スクリーン上を移動できるようになっているとともに、第２スクリーンへのその後のユーザ入力が容易になるようになっている。
【００２７】
本開示の実施例において、第１スクリーンへの第１入力により、第２スクリーンに表示されている第１プログラムの第１プログラムインタフェースを第１スクリーンに切り替えて表示することができ、ユーザは、第２スクリーンで他のアプリケーションプログラムを操作することができ、第１プログラムの使用時に存在するユーザの余分な待ち時間を十分に利用する。第１プログラムインタフェースの第２表示コンテンツに同期して更新される第１表示コンテンツのフローティングウィンドウが第２スクリーンに表示されるため、他のプログラムを操作しているときにも、第１プログラムの第１プログラムインタフェースの表示状態を見ることができる。
【００２８】
図１に示される実施例に基づいて、ユーザが端末機器を手で持ったときに第１プログラムの第１プログラムインタフェースへの誤操作を防止するために、本開示の代替的な実施例において、前記方法は、前記第１スクリーンへの第６入力を受信することと、前記第６入力に対する第１プログラムの応答を無効に制御することとを更に含む。
【００２９】
なお、第６入力は、第１スクリーンへの任意の入力である。第６入力が第１入力である場合、第１スクリーンが該第６入力に応答するものの、第１プログラムが該第６入力に応答しないことによって、第１スクリーン上の第１プログラムの第１プログラムインタフェースに対する誤操作を防止することを達成する。
【００３０】
本開示の代替的な実施例において、ステップ１０２で前記第１入力に応答して、第２スクリーンに表示される第１プログラムの第１プログラムインタフェースを前記第１スクリーンに切り替えて表示した後に、図４に示すように、前記方法は、以下のステップを更に含む。
ステップ１０４において、前記第１スクリーンへのユーザの第２入力を受信する。
【００３１】
本ステップでは、ステップ１０２に基づいて、即ち、第１スクリーンに第１プログラムの第１プログラムインタフェースが表示されている状態で、端末機器は、前記第１スクリーンへのユーザの第２入力を受信する。
【００３２】
ここで、第２入力は、予め設定された入力であり、クリック入力、プッシュ入力、長押し入力、ピンチ入力、ドラッグ入力、スライド入力及びスワイプ入力のうちの少なくとも１つを含むが、それらに限られない。即ち、該第２入力は、上記入力のうちの１つであってもよく、又は２つ以上の入力の組み合わせ入力であってもよい。
【００３３】
任意選択で、第２入力は、第１入力と同じ入力操作である。即ち、移動端末は、後続で第２スクリーン上のプログラムのプログラムインタフェースを再び該第１スクリーンに切り替えて表示するために、第１スクリーンへのユーザの第１入力を再び受信することができる。
【００３４】
ステップ１０５において、前記第２入力に応答して、前記第２スクリーンに表示されている第２プログラムの第２プログラムインタフェースを前記第１スクリーンに切り替えて表示する。
【００３５】
本ステップでは、端末機器は、上記ステップ１０４で受信した第２入力に応答して、第２スクリーンの第２プログラムの第２プログラムインタフェースを第１スクリーンに切り替えて表示する。これにより、ユーザが必要性に応じて第２スクリーン上で他のアプリケーションプログラムを操作しやすくなり、また、他のアプリケーションプログラムを操作している間も、第１スクリーン上にあるプログラムインタフェースのプログラムの動作を中断させることがなく、ユーザが随時使用することが容易になる。
【００３６】
なお、本開示の実施例において、第１入力及び第２入力を含む第１スクリーンへの入力が少なくとも２つ受信されると、前記第１スクリーンには、少なくとも２つのプログラムのプログラムインタフェースが表示され、前記少なくとも２つのプログラムのプログラムインタフェースは、所定の態様で表示される。
【００３７】
ここで、本開示の実施例において、第１スクリーンには、少なくとも２つのプログラムのプログラムインタフェースを表示することができる。ここで、少なくとも２つのプログラムのプログラムインタフェースは、限定はされないが、分割表示、スタック表示（最初に第１スクリーンに表示されるプログラムのプログラムインタフェースが最下層に位置して表示され、最後に第１スクリーンに表示されるプログラムのプログラムインタフェースが最上層に位置して表示される）及びサムネイル表示のうちの少なくとも１つを含む所定の態様で表示される。
【００３８】
図４に示される実施例に基づいて、ユーザが端末機器を手で持ったときに第１スクリーン上の第１プログラムの第１プログラムインタフェース及び第２プログラムの第２プログラムインタフェースへの誤操作を防止するために、本開示の代替的な実施例において、前記方法は、前記第１スクリーンへの第７入力を受信することと、前記第７入力に対する前記少なくとも２つのプログラムの応答を無効に制御することとを更に含む。
【００３９】
なお、第７入力は、第１スクリーンへの任意の入力とする。第７入力が第１入力である場合、第１スクリーンは、該第７入力に応答するが、第１スクリーン上の少なくとも２つのプログラムは、該第７入力に応答しないので、第１スクリーン上の少なくとも２つのプログラムのプログラムインタフェースへの誤操作防止を達成することができる。
【００４０】
図４に示された実施例に基づき、本開示の代替的な実施例において、ステップ１０５で前記第２入力に応答して、前記第２スクリーンに表示されている第２プログラムの第２プログラムインタフェースを前記第１スクリーンに切り替えて表示した後に、前記方法は、更に、前記第２スクリーンに第２フローティングウィンドウを表示することを含む。
【００４１】
本ステップにおいて、前記第２フローティングウィンドウの第３表示コンテンツは、前記第２プログラムインタフェースの第４表示コンテンツに同期して更新される。
【００４２】
本ステップは、上述の図１に示す実施例におけるステップ１０３と同様であり、図１に示す部分の詳細な説明を参照し、ここではその説明を省略する。
【００４３】
なお、この場合、第２スクリーンには、２つのフローティングウィンドウが表示され、第１フローティングウィンドウは、第１スクリーンにおける第１プログラムに対応し、第２フローティングウィンドウは、第１スクリーンにおける第２プログラムに対応する。この２つのフローティングウィンドウにより、ユーザは、その対応する２つのプログラムのプログラムインタフェースの表示状態を同時に見ることができる。
【００４４】
端末機器が、端末機器の前面と背面にそれぞれ設けられた２つの対向に設けられたスクリーンのみを含む場合を例に挙げると、具体的には、図５の図中左側部分に図示されるように、前面スクリーンに２つのフローティングウィンドウが表示され、第１フローティングウィンドウ２及び第２フローティングウィンドウ３がそれぞれアプリケーションプログラム３及びアプリケーションプログラム４に対応し、図中右側部分に示すように、背面スクリーンには、アプリケーションプログラム３のプログラムインタフェースと、アプリケーションプログラム４のプログラムインタフェースとが表示されている。
【００４５】
また、本開示の実施例において、端末機器は、第２入力に応答した後、第２スクリーンを制御して所定コンテンツインタフェース、例えば図５の左側部分に図示されたようなアプリケーションガイダンスインタフェースを表示することもできる。ここで、設計上の必要性又はユーザの使用上の必要性に応じて設定できるが、本開示の実施例では、特に限定されない。
【００４６】
ここで、更に、本開示の実施例において、前記第２スクリーン上に第２フローティングウィンドウを表示した後に、前記方法は、前記第１フローティングウィンドウ及び前記第２フローティングウィンドウへのユーザの第３入力を受信することを更に含む。
本ステップにおいて、第３入力は、予め設定された入力であり、クリック入力、プッシュ入力、長押し入力、ピンチ入力、ドラッグ入力、スライド入力及びスワイプ入力のうちの少なくとも１つを含むが、それらに限られない。即ち、該第３入力は、上記入力のうちの１つであってもよく、又は２つ以上の入力の組み合わせ入力であってもよい。
【００４７】
なお、該第３入力は、第１フローティングウィンドウと第２フローティングウィンドウのそれぞれにおけるユーザの入力であってもよいし、第１フローティングウィンドウと第２フローティングウィンドウにおけるユーザの同時入力であってもよく、ここでは、実行順序に関する具体的な限定をしない。
【００４８】
前記第３入力に応答して、前記第１スクリーンに表示されている前記第１プログラムの前記第１プログラムインタフェースと前記第２プログラムの前記第２プログラムインタフェースとを前記第２スクリーンに切り替えて分割画面で表示する。
【００４９】
本ステップでは、端末機器は、上記ステップで受信した第３入力に応答して、前記第１スクリーンに表示されている前記第１プログラムの前記第１プログラムインタフェース及び前記第２プログラムの前記第２プログラムインタフェースを前記第２スクリーンに切り替えて分割画面で表示する。
【００５０】
ここで、ユーザの必要に応じて、第１フローティングウィンドウ及び第２フローティングウィンドウへの第３入力によって、ステップ１０５の実行に基づいて第１スクリーンに表示された第１プログラムの第１プログラムインタフェース及び第２プログラムの第２プログラムインタフェースを再び第２スクリーンに切り替えて表示し、ユーザによる視認及び操作を容易にすることができる。
【００５１】
図１に示される実施例に基づき、本開示の代替的な実施例において、図６に示されるように、前記方法は、更に以下のステップを含む。
ステップ１０６において、前記第１フローティングウィンドウへのユーザの第４入力を受信する。
【００５２】
本ステップでは、ステップ１０３の後に、第１フローティングウィンドウへの第４入力を受信する。
【００５３】
ここで、第４入力は、予め設定された入力であり、クリック入力、プッシュ入力、長押し入力、ピンチ入力、ドラッグ入力、スライド入力及びスワイプ入力のうちの少なくとも１つを含むが、それらに限られない。即ち、該第４入力は、上記入力のうちの１つであってもよく、又は２つ以上の入力の組み合わせ入力であってもよい。
【００５４】
任意選択で、第４入力は、シングルクリック入力である。ここで、本開示の実施例では、第４入力としてシングルクリック入力を採用することで、ユーザ操作の簡便性を実現することができる。
【００５５】
ステップ１０７において、前記第４入力に応答して、前記第１スクリーンに表示されている前記第１プログラムの前記第１プログラムインタフェースを前記第２スクリーンに切り替えて表示する。
【００５６】
本ステップでは、端末機器は、上記ステップ１０６で受信した第４入力に応答し、第１スクリーンに表示されている第１プログラムの第１プログラムインタフェースを第２スクリーンに切り替えて表示する。即ち、ユーザの必要に応じて、第１フローティングウィンドウへの第４入力によって、ステップ１０２の実行に基づいて第１スクリーンに表示されている第１プログラムの第１プログラムインタフェースを再び第２スクリーンに切り替えて表示することができ、ユーザによる視認及び操作を容易にする。
【００５７】
図１に示される実施例に基づいて、本開示の代替的な実施例において、前記方法は、更に、前記第１フローティングウィンドウへのユーザの第５入力を受信することを含む。
本ステップにおいて、端末機器は、第１フローティングウィンドウへの第５入力を受信する。
【００５８】
ここで、第５入力は、予め設定された入力であり、クリック入力、プッシュ入力、長押し入力、ピンチ入力、ドラッグ入力、スライド入力及びスワイプ入力のうちの少なくとも１つを含むが、それらに限られない。即ち、該第５入力は、上記入力のうちの１つであってもよく、又は２つ以上の入力の組み合わせ入力であってもよい。
【００５９】
ここで、任意選択で、第５入力は、押圧摺動入力である。本開示の実施例において、第５入力として押圧摺動入力を採用しているため、ユーザの操作の簡便性を実現することができる。
【００６０】
前記第５入力に応答して前記第１プログラムを閉じる。
【００６１】
本ステップにおいて、具体的には、端末機器は、第１フローティングウィンドウが第２スクリーンの所定領域に位置していることを検出した場合、前記第５入力に応答して前記第１プログラムを閉じる。
【００６２】
ここで、第１スクリーンに切り替えて第１プログラムの閉じるボタンを探すことなく、第１フローティングウィンドウで直接ユーザの第５入力を受信することによって、第１プログラムを閉じることができ、その操作が便利である。
【００６３】
ここで、任意選択で、所定領域は、第２スクリーンの所定端部領域である。
【００６４】
ここで、第５入力は、第１フローティングウィンドウを移動させ、第１フローティングウィンドウを第２スクリーンの所定領域に移動させるために用いられる。ここで、第５入力は、第１フローティングウィンドウを所定の方向に移動させることができる。ここで、所定の方向は、特に限定されない。
【００６５】
もちろん、第１フローティングウィンドウに、第１プログラムを閉じるための閉じるボタンを設けることもできる。
【００６６】
本開示の代替的な実施例において、前記第１プログラムが映像再生プログラムであり、且つ前記映像再生プログラムによって現在再生されている映像ファイルが第１映像ファイルに関連付けられた第２映像ファイルである場合、前記第１フローティングウィンドウ内の第１表示コンテンツは、前記第２映像ファイルのカウントダウン時間であり、前記カウントダウン時間は、前記第２映像ファイルの再生時間である。
【００６７】
ここで、ユーザが第１プログラムを用いて映像（即ち第１映像ファイル）を視聴しているとき、映像の再生開始前に、ユーザが視聴したい映像とは無関係な広告映像（即ち第２映像ファイル）が再生されることが多く、通常、広告映像の再生時間は、ユーザが視聴するために表示スクリーンに表示される。ステップ１０２に基づき、第１プログラムの広告映像が第１スクリーンに表示される。ユーザが第２スクリーンで第１プログラムの広告映像の残りの再生時間を見るのを容易にするために、第１フローティングウィンドウ内の第１表示コンテンツは、該広告映像のカウントダウン時間であり、それによって、ユーザが広告映像の再生終了後にすぐに第１プログラムに戻って引き続き映像を視聴するのを容易にする。
【００６８】
図７の右側部分に図示されているように、アプリケーション１によって現在再生されているのは、長い髪の女の子が表示されている広告映像であり、前面の表示スクリーン（第１スクリーン）の右上隅に該広告映像の残り時間である２５秒が表示されている。ステップ１０２に基づき、アプリケーション１の表示コンテンツは、背面の表示スクリーン（第２スクリーン）に表示される。図８に示すように、ユーザが正面の表示スクリーンでアプリケーション１の広告映像の残り時間を見やすくするために、第１フローティングウィンドウ２（図８の左側部分に示す左上隅）の表示コンテンツは、該広告映像のカウントダウン情報（現在は２５秒であり、ユーザが見やすいために、該カウントダウン情報が拡大されている）であり、それによって、ユーザが広告映像の再生終了後にすぐにアプリケーション１に戻って映像を引き続き視聴するのを容易にする。
【００６９】
本開示の実施例に係る表示制御方法において、第１スクリーンへの第１入力により、第２スクリーンに表示されている第１プログラムの第１プログラムインタフェースを第１スクリーンに切り替えて表示させ、第２スクリーンにおいてユーザが他のアプリケーションプログラムを操作することができ、第１プログラムの利用時に存在するユーザの余分な待ち時間を十分に利用する。第１プログラムインタフェースの第２表示コンテンツに同期して更新される第１表示コンテンツのフローティングウィンドウが第２スクリーンに表示されるため、他のプログラムの操作時に、第１プログラムの第１プログラムインタフェースの表示状態を見ることもできる。
【００７０】
上記方法に基づいて、本開示の実施例は、上記方法を実現するための端末を提供する。
【００７１】
図９に示すように、本開示の実施例に係る端末の構造図である。本開示の実施例は、端末２００を提供する。該端末２００は、第１スクリーンと第２スクリーンを含む。
ここで、該端末２００は、
第１スクリーンへのユーザの第１入力を受信する第１受信モジュール２０１と、
前記第１入力に応答し、第２スクリーンに表示されている第１プログラムの第１プログラムインタフェースを前記第１スクリーンに切り替えて表示する第１表示モジュール２０２と、
前記第２スクリーンで第１フローティングウィンドウを表示する第２表示モジュール２０３とを更に含み、
ここで、前記第１フローティングウィンドウ内の第１表示コンテンツは、前記第１プログラムインタフェースの第２表示コンテンツに同期して更新される。
【００７２】
更に、本開示の実施例において、端末２００は、
前記第１スクリーンへのユーザの第２入力を受信する第２受信モジュールと、
前記第２入力に応答し、前記第２スクリーンに表示されている第２プログラムの第２プログラムインタフェースを前記第１スクリーンに切り替えて表示する第１切替モジュールとを更に含む。
【００７３】
更に、本開示の実施例において、端末２００は、
前記第２スクリーンで第２フローティングウィンドウを表示する第３表示モジュールを更に含み、
ここで、前記第２フローティングウィンドウの第３表示コンテンツは、前記第２プログラムインタフェースの第４表示コンテンツに同期して更新される。
【００７４】
更に、本開示の実施例において、移動端末２００は、
前記第１フローティングウィンドウ及び前記第２フローティングウィンドウへのユーザの第３入力を受信する第５受信モジュールと、
前記第３入力に応答し、前記第１スクリーンに表示されている前記第１プログラムの前記第１プログラムインタフェース及び前記第２プログラムの前記第２プログラムインタフェースを前記第２スクリーンに切り替えて分割画面で表示するに第３切替モジュールとを更に含む。
【００７５】
更に、本開示の実施例において、移動端末２００は、
前記第１フローティングウィンドウへのユーザの第４入力を受信する第３受信モジュールと、
前記第４入力に応答し、前記第１スクリーンに表示されている前記第１プログラムの前記第１プログラムインタフェースを前記第２スクリーンに切り替えて表示する第２切替モジュールとを更に含む。
【００７６】
更に、本開示の実施例において、移動端末２００は、
前記第１フローティングウィンドウへのユーザの第５入力を受信する第４受信モジュールと、
前記第５入力に応答し、前記第１プログラムを閉じる制御モジュールとを更に含む。
【００７７】
任意選択で、前記第１プログラムが映像再生プログラムであり、且つ前記映像再生プログラムで再生している映像ファイルが第１映像ファイルに関連付けられた第２映像ファイルである場合、前記第１フローティングウィンドウ内の第１表示コンテンツは、前記第２映像ファイルのカウントダウン時間であり、前記カウントダウン時間は、前記第２映像ファイルの再生時間である。
【００７８】
本開示の実施例に係る移動端末は、図１〜図８の方法実施例において移動端末によって実現される各プロセスを実現することができ、重複を避けるために、ここでは繰り返して記載しない。
【００７９】
本開示の実施例に係る端末において、第１スクリーンへのユーザの第１入力を第１受信モジュールで受信し、第１表示モジュールが、前記第１入力に応答し、第２スクリーンに表示されている第１プログラムの第１プログラムインタフェースを前記第１スクリーンに切り替えて表示し、第２表示モジュールが、前記第２スクリーンで第１フローティングウィンドウを表示する。このように、第１スクリーンへの第１入力により、第２スクリーンに表示されている第１プログラムの第１プログラムインタフェースを第１スクリーンに切り替えて表示することができ、ユーザが第２スクリーンで他のアプリケーションプログラムを操作することができ、第１プログラムの使用時に存在するユーザの余分な待ち時間を十分に利用する。第１プログラムインタフェースの第２表示コンテンツに同期して更新される第１表示コンテンツのフローティングウィンドウが第２スクリーンで表示されているため、他のプログラムを操作しているときにも、第１プログラムの第１プログラムインタフェースの表示状態を見ることができる。
【００８０】
図１０は、本開示の各実施例を実現する端末のハードウェア構造図である。
該端末３００は、ラジオ周波数ユニット３０１と、ネットワークモジュール３０２と、音声出力ユニット３０３と、入力ユニット３０４と、センサ３０５と、表示ユニット３０６と、ユーザ入力ユニット３０７と、インタフェースユニット３０８と、メモリ３０９と、プロセッサ３１０と、電源３１１などの構成要素を含むが、それらに限定されない。図１０に示される端末の構造は、端末を限定するものではなく、端末は、図示されるよりも多い又は少ない構成要素を含むことができ、又は特定の構成要素を組み合わせることができ、又は異なる構成要素の構成を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００８１】
ここで、プロセッサ３１０は、第１スクリーンへのユーザの第１入力を受信し、前記第１入力に応答し、第２スクリーンに表示されている第１プログラムの第１プログラムインタフェースを前記第１スクリーンに切り替えて表示し、前記第２スクリーンで第１フローティングウィンドウを表示する。ここで、前記第１フローティングウィンドウ内の第１表示コンテンツは、前記第１プログラムインタフェースの第２表示コンテンツに同期して更新される。
【００８２】
本開示の実施例において、第１スクリーンへの第１入力により、第２スクリーンに表示されている第１プログラムの第１プログラムインタフェースを第１スクリーンに切り替えて表示することができ、ユーザが第２スクリーンで他のアプリケーションプログラムを操作することができ、第１プログラムの使用時に存在するユーザの余分な待ち時間を十分に利用する。第１プログラムインタフェースの第２表示コンテンツに同期して更新される第１表示コンテンツのフローティングウィンドウが第２スクリーンで表示されているため、他のプログラムを操作しているときにも、第１プログラムの第１プログラムインタフェースの表示状態を見ることができる。
【００８３】
なお、本開示の実施例において、ラジオ周波数ユニット３０１は、情報の送受信又は通話中で信号の送受信に用いられ、具体的に、基地局からの下りデータを受信した後、プロセッサ３１０による処理に供し、また、上りデータを基地局に送信する。一般に、ラジオ周波数ユニット３０１は、アンテナ、少なくとも１つの増幅器、トランシーバ、結合器、低雑音増幅器、デュプレクサなどを含むが、それらに限定されない。また、ラジオ周波数ユニット３０１は、無線通信システムを介してネットワークや他の機器と通信を行うこともできる。
【００８４】
端末は、ネットワークモジュール３０２を介して、電子メールの送受信、ウェブページの閲覧、ストリーミングメディアへのアクセスをサポートするなど、無線ブロードバンドインターネットアクセスをユーザに提供する。
【００８５】
音声出力ユニット３０３は、ラジオ周波数ユニット３０１やネットワークモジュール３０２が受信した音声データや、メモリ３０９に記憶された音声データを音声信号に変換して音声として出力することができる。また、音声出力ユニット３０３は、端末３００が実行する特定の機能に関する音声（例えば、呼出信号着信音、メッセージ着信音等）を出力してもよい。音声出力ユニット３０３は、スピーカ、ブザー及びレシーバなどを含む。
【００８６】
入力ユニット３０４は、音声や映像の信号を受信することに用いられる。入力ユニット３０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）３０４１と、マイク３０４２とを含む。処理された画像フレームは、表示ユニット３０６上に表示される。グラフィックスプロセッサ３０４１で処理された画像フレームは、メモリ３０９（又は他の記憶媒体）に記憶されるか、又はラジオ周波数ユニット３０１又はネットワークモジュール３０２を介して送信される。マイク３０４２は、音声を受信し、音声データに加工することができる。処理された音声データは、電話通話モードの場合、ラジオ周波数ユニット３０１を介して移動体通信基地局に送信可能な形式に変換して出力することができる。
【００８７】
端末３００は、光センサ、モーションセンサ及び他のセンサのような少なくとも１つのセンサ３０５を更に含む。具体的には、光センサは、周辺光センサ及び近接センサを含む。周辺光センサは、周辺光の明暗に応じて表示パネル３０６１の輝度を調節し、近接センサは、端末３００が耳に移動したときに表示パネル３０６１及び／又はバックライトを消灯する。モーションセンサの１種として、加速度計センサは、様々な方向（一般的には３軸）の加速度の大きさを検出でき、静止時は重力の大きさ及び方向を検出でき、移動端末姿勢の認識（例えば、縦横スクリーン切替、関連ゲーム、磁力計姿勢キャリブレーション）、振動認識関連機能（たとえば、歩数計、ストローク）などに用いることができる。センサ３０５は、指紋センサ、圧力センサ、虹彩センサ、分子センサ、ジャイロスコープ、気圧計、湿度計、温度計、赤外線センサなどを更に含むことができるが、ここでは枚挙しない。
【００８８】
表示ユニット３０６は、ユーザが入力した情報やユーザに提供した情報を表示するために用いられる。表示ユニット３０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル３０６１を含んでもよい。
【００８９】
ユーザ入力ユニット３０７は、数字や文字情報の入力を受け付け、ユーザによる移動端末の設定や機能制御に関するキー信号の入力を行うことに用いられる。具体的に、ユーザ入力ユニット３０７は、タッチスクリーン３０７１と、その他の入力機器３０７２とを含む。タッチスクリーン３０７１は、タッチスクリーンとも呼ばれ、その上又は付近でのユーザのタッチ操作を取得可能である（たとえばユーザが指やスタイラスなどの任意の適切な物体や付属部材を用いたタッチスクリーン３０７１の上又はタッチスクリーン３０７１の付近での操作）。タッチスクリーン３０７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ３１０に送り、プロセッサ３１０からの命令を受信して実行する。なお、タッチスクリーン３０７１は、抵抗膜式、静電容量式、赤外線、表面弾性波など、種々の方式を用いて実現することができる。ユーザ入力ユニット３０７は、タッチスクリーン３０７１の他に、他の入力機器３０７２を含んでもよい。具体的に、他の入力機器３０７２は、物理的なキーボード、機能キー（例えば、音量調節キー、スイッチキーなど）、トラックボール、マウス、レバーを含むが、ここでは枚挙しない。
【００９０】
更に、タッチスクリーン３０７１は、表示パネル３０６１に重ねられる。タッチスクリーン３０７１は、その上又はその近くでタッチ操作を検出すると、プロセッサ３１０に送信して、タッチイベントのタイプを決定する。次いで、プロセッサ３１０は、タッチイベントのタイプに応じて、対応する視覚的出力を表示パネル３０６１に提供する。図１０では、タッチスクリーン３０７１と表示パネル３０６１は、独立した２つの部品として移動端末の入出力機能を実現するが、実施例によっては、タッチスクリーン３０７１と表示パネル３０６１を一体化して移動端末の入出力機能を実現することもでき、具体的にここでは限定しない。
【００９１】
インタフェースユニット３０８は、外部装置と端末３００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット３０８は、外部装置から入力（たとえば、データ情報、電力など）を受信し、受信した入力を端末３００内の１つ以上のユニットに伝送するために使用されてもよく、又は端末３００と外部装置との間でデータを伝送するために使用されてもよい。
【００９２】
メモリ３０９は、ソフトウェアプログラム及び様々なデータを格納するために使用される。メモリ３０９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ３０９は、快速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【００９３】
プロセッサ３１０は、移動端末の制御センタであり、各種インタフェースや回線を用いて移動端末全体の各部を接続し、メモリ３０９に格納されたソフトウェアプログラム及び／又はモジュールを実行、メモリ３０９に格納されたデータを呼び出して移動端末の各種機能及び処理データを実行し、移動端末全体の監視を行う。プロセッサ３１０は、１つ以上の処理ユニットを含んでもよい。任意選択で、プロセッサ３１０は、オペレーティングシステム、ユーザインタフェース及びアプリケーションなどを主に処理するアプリケーションプロセッサと、ワイヤレス通信を主に処理するモデムプロセッサとを統合することができる。上述のモデムプロセッサは、プロセッサ３１０に統合されなくてもよいことが理解される。
【００９４】
端末３００は、各構成要素に電力を供給するためのバッテリのような電源３１１を更に含んでもよい。任意選択で、電源３１１は、電源管理システムを介してプロセッサ３１０に論理的に接続されてもよく、電源管理システムを介して充電、放電、及び消費電力管理などを管理する機能を実現してもよい。
【００９５】
また、端末３００は、図示しない機能モジュールを更に含んでもよく、ここでの説明は省略する。
【００９６】
任意選択で、本開示の実施例は、プロセッサ３１０と、メモリ３０９と、メモリ３０９に格納されてプロセッサ３１０で動作可能なコンピュータプログラムを含む端末を更に提供し、該コンピュータプログラムがプロセッサ３１０によって実行されると、上記表示制御方法の実施例の各プロセスが実現され、且つ同じ効果を奏することもでき、重複を避けるために、ここでは繰り返して記載しない。
【００９７】
本開示の実施例は、コンピュータプログラムが格納されているコンピュータ読み取り可能な記憶媒体を更に提供し、当該コンピュータプログラムがプロセッサによって実行されると、上記表示制御方法の実施例の各プロセスが実現され、且つ同じ技術効果を奏することもできるので、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【００９８】
なお、本明細書において、「含む」や「含有する」又はそれ以外のあらゆる変形用語は、非排他的に含むことを意味する。よって、一連のユニットを含むプロセス、方法、モノ又は装置は、それらのユニットを含むだけではなく、明確に列挙されていない他のユニットを更に含み、又はこのようなプロセス、方法、モノ又は装置に固有のユニットを更に含む。特に限定されない限り、「…を１つ含む」の表現によって限定されるユニットについて、当該ユニットを含むプロセス、方法、モノ又は装置に他の同一ユニットの存在を除外しない。
【００９９】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末（携帯電話、コンピュータ、サーバー、空調機又はネットワークデバイスなど）に実行させるいくつかの指令を含む。
【０１００】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021525430.tif 000003
【図２】
2021525430.tif 000004
【図３】
2021525430.tif 000005
【図４】
2021525430.tif 000006
【図５】
2021525430.tif 000007
【図６】
2021525430.tif 000008
【図７】
2021525430.tif 000009
【図８】
2021525430.tif 000010
【図９】
2021525430.tif 000011
【図１０】
2021525430.tif 000012
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
第１スクリーンと第２スクリーンを含む端末機器に応用される表示制御方法において、
第１スクリーンへのユーザの第１入力を受信することと、
前記第１入力に応答し、第２スクリーンに表示されている第１プログラムの第１プログラムインタフェースを前記第１スクリーンに切り替えて表示することと、
前記第２スクリーンで第１フローティングウィンドウを表示することとを含み、
ここで、前記第１フローティングウィンドウ内の第１表示コンテンツは、前記第１プログラムインタフェースの第２表示コンテンツに同期して更新される、表示制御方法。
【請求項２】
前記の前記第１入力に応答し、第２スクリーンに表示されている第１プログラムの第１プログラムインタフェースを前記第１スクリーンに切り替えて表示した後には、
前記第１スクリーンへのユーザの第２入力を受信することと、
前記第２入力に応答し、前記第２スクリーンに表示されている第２プログラムの第２プログラムインタフェースを前記第１スクリーンに切り替えて表示することとを更に含む、請求項１に記載の表示制御方法。
【請求項３】
前記の前記第２入力に応答し、前記第２スクリーンに表示されている第２プログラムの第２プログラムインタフェースを前記第１スクリーンに切り替えて表示した後には、
前記第２スクリーンで第２フローティングウィンドウを表示することを更に含み、
ここで、前記第２フローティングウィンドウ内の第３表示コンテンツは、前記第２プログラムインタフェースの第４表示コンテンツに同期して更新される、請求項２に記載の表示制御方法。
【請求項４】
前記の前記第２スクリーンで第２フローティングウィンドウを表示した後には、
前記第１フローティングウィンドウ及び前記第２フローティングウィンドウへのユーザの第３入力を受信することと、
前記第３入力に応答し、前記第１スクリーンに表示されている前記第１プログラムの前記第１プログラムインタフェース及び前記第２プログラムの前記第２プログラムインタフェースを前記第２スクリーンに切り替えて分割画面で表示することとを更に含む、請求項３に記載の表示制御方法。
【請求項５】
前記の前記第２スクリーンで第１フローティングウィンドウを表示した後には、
前記第１フローティングウィンドウへのユーザの第４入力を受信することと、
前記第４入力に応答し、前記第１スクリーンに表示されている前記第１プログラムの前記第１プログラムインタフェースを前記第２スクリーンに切り替えて表示することとを更に含む、請求項１に記載の表示制御方法。
【請求項６】
前記の前記第２スクリーンで第１フローティングウィンドウを表示した後には、
前記第１フローティングウィンドウへのユーザの第５入力を受信することと、
前記第５入力に応答し、前記第１プログラムを閉じることとを更に含む、請求項１に記載の表示制御方法。
【請求項７】
前記第１プログラムが映像再生プログラムであり、且つ前記映像再生プログラムで再生している映像ファイルが第１映像ファイルに関連付けられた第２映像ファイルである場合、前記第１フローティングウィンドウの第１表示コンテンツは、前記第２映像ファイルのカウントダウン時間であり、前記カウントダウン時間は、前記第２映像ファイルの再生時間である、請求項１に記載の表示制御方法。
【請求項８】
第１スクリーンへのユーザの第１入力を受信する第１受信モジュールと、
前記第１入力に応答し、第２スクリーンに表示されている第１プログラムの第１プログラムインタフェースを前記第１スクリーンに切り替えて表示する第１表示モジュールと、
前記第２スクリーンで第１フローティングウィンドウを表示する第２表示モジュールとを含み、
ここで、前記第１フローティングウィンドウ内の第１表示コンテンツは、前記第１プログラムインタフェースの第２表示コンテンツに同期して更新される、端末。
【請求項９】
前記第１スクリーンへのユーザの第２入力を受信する第２受信モジュールと、
前記第２入力に応答し、前記第２スクリーンに表示されている第２プログラムの第２プログラムインタフェースを前記第１スクリーンに切り替えて表示する第１切替モジュールとを更に含む、請求項８に記載の端末。
【請求項１０】
前記第１フローティングウィンドウへのユーザの第４入力を受信する第３受信モジュールと、
前記第４入力に応答し、前記第１スクリーンに表示されている前記第１プログラムの前記第１プログラムインタフェースを前記第２スクリーンに切り替えて表示する第２切替モジュールとを更に含む、請求項８に記載の端末。
【請求項１１】
前記第１フローティングウィンドウへのユーザの第５入力を受信する第４受信モジュールと、
前記第５入力に応答し、前記第１プログラムを閉じる制御モジュールとを更に含む、請求項８に記載の端末。
【請求項１２】
前記第１プログラムが映像再生プログラムであり、且つ前記映像再生プログラムで再生している映像ファイルが第１映像ファイルに関連付けられた第２映像ファイルである場合、前記第１フローティングウィンドウの第１表示コンテンツは、前記第２映像ファイルのカウントダウン時間であり、前記カウントダウン時間は、前記第２映像ファイルの再生時間である、請求項８に記載の端末。
【請求項１３】
第２受信モジュールが前記第１スクリーンへのユーザの第２入力を受信することに応答し、第１切替モジュールが、前記第２スクリーンに表示されている第２プログラムの第２プログラムインタフェースを前記第１スクリーンに切り替えて表示した後には、
前記第２表示モジュールが、前記第２スクリーンで第２フローティングウィンドウを表示し、
ここで、前記第２フローティングウィンドウ内の第３表示コンテンツは、前記第２プログラムインタフェースの第４表示コンテンツに同期して更新される、請求項９に記載の端末。
【請求項１４】
コンピュータプログラムが格納されているコンピュータ読み取り可能な記憶媒体であって、
前記コンピュータプログラムがプロセッサによって実行されると、請求項１〜７のいずれか一項に記載の表示制御方法が実現される、コンピュータ読み取り可能な記憶媒体。
【請求項１５】
コンピュータプログラムであって、
前記コンピュータプログラムがプロセッサによって実行されると、請求項１〜７のいずれか一項に記載の表示制御方法が実現される、コンピュータプログラム。
【国際調査報告】
2021525430.tif 000013
2021525430.tif 000014
2021525430.tif 000015
2021525430.tif 000016
2021525430.tif 000017